(57)【特許請求の範囲】
【請求項１】
床面上の塵埃を吸い込むためのヘッド内に回転可能に収容された回転体と、該回転体に取着されるブラシ体とを備え、前記ヘッドが床面上を移動する際に、前記回転体を回転させながら前記ブラシ体を床面に接触させるように構成された電気掃除機用の回転ブラシであって、
前記ブラシ体は、前記回転体に形成された溝部に挿着される長尺平板状の基材と、
該基材上に該基材の長手方向に沿って立設された毛羽部とを備え、
前記基材は合成樹脂成型品により構成されているとともに、前記基材は前記毛羽部の位置決め手段としての一対の凸条を有し、前記毛羽部の基端は前記一対の凸条間の前記基材上で超音波溶着により立設されており、前記凸条は前記回転体の回転時における毛羽の基端部のたわみを阻害しない高さであることを特徴とする電気掃除機用の回転ブラシ。
【請求項２】
前記基材上には、前記毛羽部の高さよりも低くなるように、帯状の毛絡み抑制体が、前記羽毛部とともに超音波溶着されることにより、前記毛羽部のほぼ中央に設けられていることを特徴とする請求項１に記載の電気掃除機用の回転ブラシ。
【請求項３】
前記フィルムは２つ折りにした状態で設けられていることを特徴とする請求項１又は請求項２に記載の電気掃除機用の回転ブラシ。
【請求項４】
前記毛羽部は、毛羽の長さが短い短毛部と、該短毛部よりも毛羽の長さが長い長毛部とを備え、これら短毛部及び長毛部が前記基材の長手方向に沿って並設されていることを特徴とする請求項１乃至請求項３のうちいずれか一項に記載の電気掃除機用の回転ブラシ。
【請求項５】
前記基材上には、前記毛羽部と該毛羽部が立設されていない非毛羽部とが該基材の長手方向に沿って交互に設けられていることを特徴とする請求項１乃至請求項４のうちいずれか一項に記載の電気掃除機用の回転ブラシ。
【請求項６】
床面上の塵埃を吸い込むためのヘッド内に回転可能に収容された回転体と、該回転体に取着されるブラシ体とを備え、前記ヘッドが床面上を移動する際に、前記回転体を回転させながら前記ブラシ体を床面に接触させるように構成された電気掃除機用の回転ブラシの製造方法であって、
前記ブラシ体は、前記回転体に形成された溝部に挿着される長尺平板状の基材と、
該基材上に該基材の長手方向に沿って立設された毛羽部とを備え、
前記基材は合成樹脂成型品により形成するとともに、前記基材は前記毛羽部の位置決め手段としての一対の凸条を設けるとともに前記回転体の回転時における毛羽の基端部のたわみを阻害しない高さとし、前記毛羽部の基端は前記一対の凸条間の前記基材上で超音波溶着により立設することを特徴とする電気掃除機用の回転ブラシの製造方法。
【発明の詳細な説明】
【技術分野】
【０００１】
本発明は、電気掃除機の本体部と該本体部にホースを介して接続されたヘッド内に配設され、絨毯、畳、フローリング等の床面から塵埃を掻き上げるための電気掃除機用の回転ブラシ及びその製造方法に関する。
【背景技術】
【０００２】
一般に、電気掃除機は本体部と該本体部にホースを介して接続されたヘッドとを備えている。そして、このヘッドを絨毯、フローリング、畳等の床面上で移動させ、該ヘッドの底面に設けられた吸込口からエアを吸引することにより、本体部内に塵埃が吸い込まれるように構成されている。ところで、近年では、例えば絨毯等のようにエアの吸引だけでは塵埃を吸い込みにくい床面に対する集塵能力を向上させるため、ヘッド内に回転ブラシを設けたものが数多く見られるようになってきた（例えば、特許文献１）。
【０００３】
この特許文献１の回転ブラシは、ヘッド内に回転可能に収容された丸棒状をなす回転体と、回転体に取着されたベロア材（ブラシ体）とを備えている。ベロア材は、織布よりなる基布（基材）と、該基布上に立毛するパイル列（毛羽部）とからなっているとともに、該ベロア材の基布を、回転体の周面に設けられた凹条（溝部）に挿入固定することで、回転体に取り付けられている。そして、モータ等の駆動装置によりヘッド内で回転ブラシが回転されることで、パイル列を構成するパイル糸の先端部が床面に摺接されて、床面から塵埃が掻き取られるようになっている。
【特許文献１】特開２００３−５２５８４号公報
【発明の開示】
【発明が解決しようとする課題】
【０００４】
ところで、特許文献１の回転ブラシは、ベロア材の基布が織布により構成されているため、剛性が低く、回転体の凹条への挿入性がよいものではなかった。ここで、ベロア材の基布の剛性を高めるために、該基布に水性アクリル系コーティング材を塗布することが考えられる。そして、基布の剛性を十分に高めるためには、水性アクリル系コーティング材を何度も重ねて塗布する必要があるが、水性アクリル系コーティング材は、塗布条件や成分のばらつきにより、その厚みにばらつきが生じやすい。
【０００５】
そして、水性アクリル系コーティング材は、その厚みが厚くなる方向に誤差が生じた場合、基布が回転体の凹条に挿入し難くなって該回転体へのベロア材の取付作業が困難になる一方、その厚みが薄くなる方向に誤差が生じた場合、基布の剛性が不足して回転体へ取り付けたベロア材が該回転体の凹条から簡単に脱落してしまうという問題があった。
【０００６】
本発明は、このような課題に着目してなされたものである。その目的とするところは、回転体へのブラシ体の取付作業を容易に行うことが可能で、かつ回転体からのブラシ体の脱落を抑制することが可能な電気掃除機用の回転ブラシ及びその製造方法を提供することにある。
【課題を解決するための手段】
【０００７】
上記の目的を達成するために、請求項１に記載の発明は、床面上の塵埃を吸い込むためのヘッド内に回転可能に収容された回転体と、該回転体に取着されるブラシ体とを備え、前記ヘッドが床面上を移動する際に、前記回転体を回転させながら前記ブラシ体を床面に接触させるように構成された電気掃除機用の回転ブラシであって、前記ブラシ体は、前記回転体に形成された溝部に挿着される長尺平板状の基材と、該基材上に該基材の長手方向に沿って立設された毛羽部とを備え、前記基材は合成樹脂成型品により構成されているとともに、前記基材は前記毛羽部の位置決め手段としての一対の凸条を有し、前記毛羽部の基端は前記一対の凸条間で前記基材上に超音波溶着により立設されており、前記凸条は前記回転体の回転時における毛羽の基端部のたわみを阻害しない高さであることを要旨とする。
【０００８】
上記構成によれば、基材は、合成樹脂成型品により構成されているため、従来とは異なり、コーティングなどの処理を必要としない。このため、基材の寸法精度を高めることが可能となる。したがって、回転体に形成された溝部に対して基材を容易に挿着することが可能となり、回転体へのブラシ体の取付作業を容易に行うことが可能となる。
また、基材は、合成樹脂成型品により構成されているため、適度な剛性及び弾性を有する。このため、基材の剛性不足による回転体からのブラシ体の脱落を抑制することが可能となる。
【０００９】
請求項２に記載の発明は、請求項１に記載の発明において、前記基材上には、前記毛羽部の高さよりも低くなるように、帯状の毛絡み抑制体が、前記羽毛部とともに超音波溶着されることにより、前記毛羽部のほぼ中央に設けられていることを要旨とする。
上記構成によれば、電気掃除機の使用時において、回転ブラシによって床面上の塵埃となった毛髪を掻き取る際に、帯状の毛絡み抑制体により、該毛髪がブラシ体の毛羽部内に奥深く進入して絡みつくのを効果的に抑制することができる。また、この場合、帯状の毛絡み抑制体の高さは、毛羽部の高さよりも低くなるように設定されているため、帯状の毛絡み抑制体、毛羽部による床面上の塵埃の掻き取り性能に対して悪影響を及ぼすことはない。
【００１０】
請求項３に記載の発明は、請求項１又は請求項２に記載の電気掃除機用の回転ブラシ前記フィルムは２つ折りにした状態で設けられていることを特徴とする。
【００１１】
上記構成によれば、電気掃除機の使用時において、回転ブラシによって床面上の塵埃となった毛髪を掻き取る際に、フィルム部材の作用により、該毛髪がブラシ体３２の毛羽部４１内に奥深く進入し難くなるため、該毛髪が毛羽部に絡みつき難くなる。
【００１２】
請求項４に記載の発明は、請求項１又は請求項３に記載の発明において、前記毛羽部は、毛羽の長さが短い短毛部と、該短毛部よりも毛羽の長さが長い長毛部とを備え、これら短毛部及び長毛部が前記基材の長手方向に沿って並設されていることを要旨とする。
【００１３】
上記構成によれば、毛羽部の先端部の厚みが該毛羽部の基端部の厚みよりも薄くなるため、毛羽部における先端部の毛羽が、基端部の毛羽よりも撓みやすくなる。したがって、毛羽部は、その基端部において毛立ちを確保（毛羽を倒れにくく）しつつ、その先端部において床面に対する摺動抵抗を抑制することが可能となる。
【００１４】
請求項５に記載の発明は、請求項１乃至請求項４のうちいずれか一項に記載の発明において、前記基材上には、前記毛羽部と該毛羽部が立設されていない非毛羽部とが該基材の長手方向に沿って交互に設けられていることを要旨とする。
上記構成によれば、毛羽部の先端部における角部が床面に対して頻繁に当接するようになるため、床面上の塵埃の掻き取り効果を高めることが可能となる。
【００１５】
請求項６に記載の発明は、床面上の塵埃を吸い込むためのヘッド内に回転可能に収容された回転体と、該回転体に取着されるブラシ体とを備え、前記ヘッドが床面上を移動する際に、前記回転体を回転させながら前記ブラシ体を床面に接触させるように構成された電気掃除機用の回転ブラシの製造方法であって、前記ブラシ体は、前記回転体に形成された溝部に挿着される長尺状の基材と、該基材上に該基材の長手方向に沿って立設された毛羽部とを備え、前記基材は合成樹脂成型品により形成するとともに、前記基材は前記毛羽部の位置決め手段としての一対の凸条を設け、前記毛羽部の基端は前記一対の凸条間の前記基材上で超音波溶着により立設することを要旨とする。
上記構成によれば、請求項１に記載の電気掃除機用の回転ブラシを製造することができる。
【発明の効果】
【００１６】
本発明によれば、回転体へのブラシ体の取付作業を容易に行うことが可能で、かつ回転体からのブラシ体の脱落を抑制することが可能な電気掃除機用の回転ブラシ及びその製造方法を提供することができる。
【発明を実施するための最良の形態】
【００１７】
（第１実施形態）
以下、本発明を具体化した第１実施形態を図面に基づいて説明する。
まず、回転ブラシが配設される電気掃除機のヘッドの構成について説明する。
【００１８】
図１及び図２に示すように、電気掃除機のヘッド１１は、平面視略Ｔ字状のケース１２を備えている。ケース１２の後端部には、接続パイプ１３の一端側が該ケース１２に対して回動可能に接続されているとともに、接続パイプ１３の他端側は図示しない電気掃除機の本体部に接続されている。ケース１２の底壁における前端部には、長孔状の吸込口１４が左右方向に延びるように透設されている。
【００１９】
ケース１２の内底面上には、四角枠状をなす仕切板１５が、吸込口１４を囲むように立設されているとともに、該仕切板１５の後端部中央には、エア吸引口１６が透設されている。ケース１２の左内側面には、モータ軸受１７が設けられるとともに、該モータ軸受１７には、モータ１８から延びるモータ軸１９の先端部が回転可能に支持されている。
【００２０】
仕切板１５の左右両側壁には、それぞれ回転支持体２０が設けられるとともに、該両回転支持体２０は、ケース１２の左右両内側面にそれぞれ設けられたブラシ軸受２１により、それぞれ回転可能に支持されている。仕切板１５の内側には、左右方向に延びる回転ブラシ２２が収容されるとともに、該回転ブラシ２２の両端部は、両回転支持体２０にそれぞれ支持されている。
【００２１】
また、左側の回転支持体２０とモータ軸１９の先端部に取着されたローラ１９ａとの間には、無端状のベルト２３が掛装されている。そして、モータ１８の駆動により、その回転が、モータ軸１９、ローラ１９ａ、ベルト２３、及び左側の回転支持体２０を介して回転ブラシ２２に伝達されるようになっている。そして、電気掃除機を使用する際には、仕切板１５の内側のエアが、エア吸引口１６及び接続パイプ１３を介して電気掃除機の本体部内に吸引されるとともに、回転ブラシ２２が回転されることにより、床面Ｆ上の塵、埃、毛髪等の塵埃が掻き取られ、エアとともに該塵埃が吸込口１４から吸い込まれるようになっている。このとき、回転ブラシ２２は、電気掃除機のヘッド１１の前進を妨げない方向（図２の矢印で示す方向）に回転される。
【００２２】
次に、回転ブラシ２２の構成について詳述する。
図３（ａ）、（ｂ）に示すように、回転ブラシ２２は、断面Ｘ字状をなす棒状の金属よりなる回転体３１と、該回転体３１に取着されるブラシ体３２とを備えている。すなわち、回転体３１は、４つの断面Ｔ字状をなす突条３１ａの基端部同士を、該各突条３１ａが互いに回転体３１の周方向に等間隔に配置されるように、互いに一体に連結し、さらにその全体にわたって周方向に約１８０度捻ることで形成されている。したがって、回転体３１の周面には、各突条３１ａ間に螺旋状をなす４本の溝部としての凹溝３３が形成される。そして、各凹溝３３の開口部３３ａは、各突条３１ａの先端部に備えられた突片３１ｂにより狭められている。
【００２３】
図４（ａ）、（ｂ）に示すように、ブラシ体３２は、ポリアミドの成型品により構成された長尺帯状の基材４０と、該基材４０の長手方向に延びるように該基材４０上に超音波溶着によって立設された多数のポリアミド製の毛羽（本実施形態では、単糸太さ５０デシテックスのポリアミド６の繊維）よりなる毛羽部４１とを備えている。ポリアミド製の毛羽は、適度な剛性及び弾性を有するとともに、優れた耐摩耗性及び変形後の復元力を有するため、本用途には好適である。
【００２４】
基材４０及び毛羽部４１を構成する毛羽の材料となるポリアミドとしては、ポリアミド６、ポリアミド６６、ポリアミド１２等が挙げられる。この場合、基材４０及び毛羽部４１は、同じポリアミド系の合成樹脂であれば、必ずしも全く同じ材料で構成する必要はない。したがって、ブラシ体３２、すなわち基材４０及び毛羽部４１は、適度な剛性と弾性を有している。特に、基材４０は、従来の織物で構成したものよりも剛性が高くなっている。
【００２５】
また、基材４０上における毛羽部４１の短手方向の両側には、該毛羽部４１を挟むように一対の凸条４０ａが基材４０の長手方向に沿って延設されている。これら両凸条４０ａは、基材４０上に毛羽部４１を超音波溶着する際の位置決め手段として機能するようになっている。なお、図３（ｂ）に示すように、基材４０の幅は、回転体３１の凹溝３３内に挿入可能でかつ凹溝３３の開口部３３ａの幅よりも大きくなるように設定されている。
【００２６】
次に、回転体３１へのブラシ体３２の取り付け方法について説明する。
図３（ａ）、（ｂ）に示すように、回転体３１へブラシ体３２を取り付ける場合、毛羽部４１が凹溝３３の開口部３３ａから外側へ突出するように、回転体３１の端部から各凹溝３３内にブラシ体３２の基材４０をそれぞれスライド挿入する。すると、ブラシ体３２は、適度な剛性と弾性とを有しているため、各凹溝３３に沿ってそれぞれ螺旋状に捻れた状態で回転体３１に容易に挿着される。このとき、適度な剛性を有する基材４０は、突片３１ｂによって強く係止されるため、凹溝３３の開口部３３ａからのブラシ体３２の脱落が抑制される。
【００２７】
次に、回転ブラシ２２の作用について説明する。
さて、電気掃除機を使用するときには、図２に示すように、まず、ヘッド１１を床面Ｆ上に載せる。この状態で電気掃除機を稼動させると、モータ１８が駆動されるとともに、仕切板１５の内側のエアがエア吸引口１６を通り、接続パイプ１３を介して図示しない電気掃除機の本体部内に吸引される。このとき、モータ１８の駆動に連動して回転ブラシ２２が左側から見て反時計回り（図中の矢印で示す方向）に回転されるとともに、該回転ブラシ２２の毛羽部４１が床面Ｆに摺接される。この毛羽部４１の床面Ｆへの摺接により、該床面Ｆ上の塵埃が掻き取られてエアとともに図示しない電気掃除機の本体部内に吸引される。
【００２８】
以上詳述した第１実施形態によれば次のような効果が発揮される。
・基材４０は、ポリアミドの成型品により構成されているため、適度な剛性及び弾性を有する。このため、回転体３１に形成された凹溝３３に対して基材４０を容易に挿着することができる。すなわち、回転体３１へのブラシ体３２の取付作業を容易に行うことができる。
【００２９】
・回転体３１にブラシ体３２が挿着された状態では、適度な剛性を有する基材４０が突片３１ｂによって強く係止されるため、凹溝３３の開口部３３ａからのブラシ体３２の脱落を抑制することができる。
【００３０】
・基材４０及び毛羽部４１は、同じポリアミドからなっているため、基材４０上に毛羽部４１を強固かつ容易に超音波溶着（熱溶着）することができる。このため、毛羽部４１が床面Ｆに対して摺動する際に、基材４０からの毛羽部４１（毛羽）の脱落（抜け）を抑制することができる。
【００３１】
（第２実施形態）
以下、この発明の第２実施形態を、上記第１実施形態と異なる点を中心に説明する。
この第２実施形態では、床面上の塵埃となった毛（特に毛髪）が絡みにくい電気掃除機用の回転ブラシを提供することを目的としている。
【００３２】
図５に示すように、この第２実施形態の回転ブラシは、上記第１実施形態の回転ブラシ２２のブラシ体３２の毛羽部４１内に、毛絡み抑制体及び帯状体としての帯状のフィルム部材５０を設けたものである。フィルム部材５０は、２つ折りにした状態で毛羽部４１内の幅方向の中央部における基材４０上に、該基材４０の長手方向に沿って延設されている。この場合、フィルム部材５０は、基材４０上に毛羽部４１とともに超音波溶着されている。このフィルム部材５０には、該フィルム部材５０の基材４０に対する超音波溶着を容易にするため、ポリアミド製のものを用いることが望ましい。また、基材４０上において、フィルム部材５０の高さは、毛羽部４１の高さよりも低くなるように設定されている。本実施形態では、フィルム部材５０の高さを、毛羽部４１の高さの半分程度に設定している。
【００３３】
このように構成すれば、電気掃除機の使用時において、回転ブラシによって床面Ｆ上の塵埃となった毛髪を掻き取る際に、フィルム部材５０の作用により、該毛髪がブラシ体３２の毛羽部４１内に奥深く進入し難くなるため、該毛髪が毛羽部４１に絡みつき難くなる。
【００３４】
以上詳述した第２実施形態によれば次のような効果が発揮される。
・電気掃除機の使用時において、回転ブラシによって床面Ｆ上の塵埃となった毛髪を掻き取る際に、フィルム部材５０により、該毛髪がブラシ体３２の毛羽部４１内に奥深く進入して絡みつくのを効果的に抑制することができる。また、この場合、フィルム部材５０の高さは、毛羽部４１の高さよりも低くなるように設定されているため、該フィルム部材５０が、毛羽部４１による床面Ｆ上の塵埃の掻き取り性能に対して悪影響を及ぼすことはない。
【００３５】
・毛絡み抑制体が帯状のフィルム部材５０により構成されているため、容易に製造することができる。
【実施例】
【００３６】
以下、上記第１実施形態をさらに具体化した実施例及び比較例について説明する。
（実施例１）
図１０（ａ）に示すように、上記第１実施形態のブラシ体３２において、基材４０の短手方向の長さＡ１を３．０ｍｍ、基材４０の厚さＢ１を０．７ｍｍに設定したものを実施例１とした。なお、この実施例１のブラシ体３２の長手方向の長さは、２００ｍｍに設定されている。
【００３７】
（比較例１）
図１０（ｂ）に示すように、ブラシ体を長尺状のパイル織物により構成したものを比較例１とした。すなわち、比較例１のブラシ体は、実施例１のブラシ体３２の基材４０に相当する基布７０の下面（毛羽部を設けた面の反対側の面）全体に均一にアクリルエマルションコーティング層７０ａが設けられている。この比較例１のブラシ体は、基布７０の短手方向の長さＡ２が３．４ｍｍ、基布７０とアクリルエマルションコーティング層７０ａとを合わせた厚さＢ２が０．７ｍｍに設定されている。なお、この比較例１のブラシ体の長手方向の長さは、２００ｍｍに設定されている。
【００３８】
（固定治具）
図１１（ａ）に示すように、固定治具７１は、長尺の四角筒状のアルミニウムよりなっている。固定治具７１の上壁の中央部には、該固定治具７１の長手方向に沿って開口部が設けられているとともに、該開口部の短手方向の幅Ｙが２．０ｍｍに設定されている。また、固定治具７１の内部における短手方向の幅Ｘは、３．５ｍｍに設定されているとともに、固定治具７１の内部の高さＺは、１．０ｍｍに設定されている。さらに、固定治具７１の長手方向の長さは、２００ｍｍに設定されている。
【００３９】
（試験方法）
図１１（ｂ）、（ｃ）に示すように、固定治具７１を用いて上記実施例１及び比較例１について、それぞれ引き抜き強度試験を以下のように行った。
【００４０】
まず、上記実施例１のブラシ体３２の基材４０を、床面上に固定された固定治具７１の開口部から毛羽部４１が突出するように、該固定治具７１の内部に挿着する。引き続き、毛羽部４１の長手方向における中央部を、幅Ｌが５０ｍｍの一対の四角板状の板材よりなるチャック治具７２で挟んだ状態で、該チャック治具７２を真上に向かって毎分５ｍｍの速度で引っ張り上げ、基材４０の少なくとも一部が固定治具７１の開口部から該固定治具７１の外部へ脱離するときの引っ張り荷重を測定した。
【００４１】
同様に、上記比較例１のブラシ体についても基布７０の少なくとも一部が固定治具７１の開口部から該固定治具７１の外部へ脱離するときの引っ張り荷重を測定した。なお、この引き抜き強度試験では、実施例１及び比較例１について、それぞれ２つずつのサンプルを用意して試験を行い、それぞれの平均値にて上記引っ張り荷重を比較した。試験結果は、実施例１の引っ張り荷重が５６８Ｎに対して、比較例１の引っ張り荷重が３２８Ｎであった。
【００４２】
（考察）
以上の結果より、実施例１の基材４０の短手方向の長さＡ１が比較例１の基布７０の短手方向の長さＡ２よりも短いにもかかわらず、実施例１の方が比較例１に比べて固定治具７１に対する耐抜け落ち性能が優れている（引き抜き強度が強い）ことが示された。
【００４３】
（変更例）
なお、上記各実施形態は、次のように変更して具体化することも可能である。
・基材４０及び毛羽部４１の材料としては、ポリアミド以外に、ポリプロピレン、ポリエステル、アクリル樹脂及びウレタン樹脂等を用いてもよい。この場合、基材４０上に毛羽部４１を熱溶着することが不可能であれば、これらの材料に応じた取着方法（例えば、接着剤を用いる方法）を選択する必要がある。
【００４４】
・ブラシ体３２の毛羽部４１を構成するポリアミドを顔料等で着色してもよい。例えば、毛羽部４１を互いに異なる複数種類の色が交互に現れるストライプ状に着色してもよい。このようにすれば、ブラシ体３２、ひいては回転ブラシ２２の意匠性を向上することができる。
【００４５】
・図６に示すように、ブラシ体３２の毛羽部４１を、毛羽の長さが短い短毛部４１ａと、該短毛部４１ａよりも毛羽の長さが長い長毛部４１ｂとにより構成し、これら短毛部４１ａ及び長毛部４１ｂを、基材４０の長手方向に沿って該基材４０上に並設してもよい。この場合、毛羽部４１の幅方向における中央を境に短毛部４１ａ及び長毛部４１ｂが半分ずつになるように設定されている。すなわち、毛羽部４１の幅方向における中央に、短毛部４１ａと長毛部４１ｂとの段差が生じている。
【００４６】
このように構成すれば、毛羽部４１の先端部の厚みが該毛羽部４１の基端部の厚みよりも薄くなるため、毛羽部４１における先端部の毛羽を、基端部の毛羽よりも撓みやすくすることができる。したがって、毛羽部４１の基端部において毛立ちを確保（毛羽を倒れにくく）することができるとともに、毛羽部４１の先端部において床面Ｆに対する摺動抵抗を抑えて回転ブラシ２２の回転時におけるモータ１８にかかる負担を低減することができる。
【００４７】
・図７に示すように、基材４０上に、毛羽部４１と該毛羽部４１が立設されていない非毛羽部６０とを、該基材４０の長手方向に沿って交互に等間隔で設けるようにしてもよい。この場合、基材４０上の毛羽部４１は、側面視で櫛歯状をなしている。このようにすれば、電気掃除機の使用時において、回転ブラシによって床面Ｆ上の塵埃を掻き取る際に、毛羽部４１の先端部における角部が床面Ｆに対して頻繁に当接するようになり、床面Ｆ上の塵埃の掻き取り効果を高めることができる。
【００４８】
・図８に示すように、毛羽部４１を回転体３１（回転ブラシ２２）の回転方向と逆の方向に傾斜させてもよい。このようにすれば、毛羽部４１が床面Ｆに摺接しながら回転体３１が回転する際に、毛羽部４１と床面Ｆとの摺動抵抗を抑制することができるので、回転体３１（回転ブラシ２２）の回転抵抗を抑制することができる。このため、モータ１８にかかる負荷も低減することができる。
【００４９】
また、この場合、毛羽部４１を構成する毛羽に太めの繊維を用いることで、絨毯面に対する叩き効果（塵埃の叩き出し効果）を得ることができ、毛羽部４１を構成する毛羽に柔らかくて拭き取り効果の高い繊維を用いることで、フローリング面に対する磨き効果を得ることができる。
【００５０】
・第２実施形態において、図９（ａ）に示すように、毛羽部４１を、その短手方向における両側から挟んで支えるようにフィルム部材５０を基材４０上に設けるようにしてもよい。このようにすれば、毛羽部４１に対する毛髪等の毛が絡まるのを抑制しつつ、毛羽部４１を倒れにくくすることができる。また、図９（ｂ）に示すように、毛羽部４１を、その短手方向における両側から挟んで支えるようにフィルム部材５０を基材４０上に設けるとともに、毛羽部４１内にもフィルム部材５０を設けるようにしてもよい。
【００５１】
・第２実施形態において、基材４０上にフィルム部材５０を、該基材４０の長手方向に沿って断続的に延設するようにしてもよい。
・第２実施形態において、フィルム部材５０の代わりに、毛絡み抑制体及び帯状体として、帯状の紙、布、織物、編物等を用いてもよい。
【００５２】
・第２実施形態において、フィルム部材５０の高さは、毛羽部４１の高さよりも低ければ、任意の値に設定してもよい。
さらに、上記各実施形態より把握できる技術的思想について以下に記載する。
【００５３】
（１）床面上の塵埃を吸い込むためのヘッド内に回転可能に収容された回転体と、該回転体に取着されるブラシ体とを備え、前記ヘッドが床面上を移動する際に、前記回転体を回転させながら前記ブラシ体を床面に接触させるように構成された電気掃除機用の回転ブラシであって、
前記ブラシ体は、前記回転体に対する取付部となる基材と、該基材上に立設された毛羽部とを備え、
前記基材上には、前記毛羽部の高さよりも低くなるように、毛絡み抑制体が設けられていることを特徴とする電気掃除機用の回転ブラシ。
【００５４】
このように構成すれば、毛羽部に対して毛髪等の毛が絡まるのを抑制することができる。
（２）前記毛絡み抑制体は、前記毛羽部の側方から該毛羽部を支えるように配設されていることを特徴とする前記（１）に記載の電気掃除機用の回転ブラシ。
【００５５】
このように構成すれば、毛羽部に対する毛髪等の毛が絡まるのを抑制しつつ、毛羽部を倒れにくくすることができる。
（３）前記毛絡み抑制体は、帯状体により構成されていることを特徴とする前記（１）または前記（２）に記載の電気掃除機用の回転ブラシ。
【００５６】
このように構成すれば、毛絡み抑制体の構成が簡単になるので、容易に製造することができる。
【図面の簡単な説明】
【００５７】
【図１】第１実施形態の電気掃除機のヘッドを示す平断面図。
【図２】第１実施形態の電気掃除機のヘッドの使用状態を示す側断面図。
【図３】第１実施形態において、（ａ）は、電気掃除機の回転ブラシを示す斜視図、（ｂ）は、（ａ）の側面拡大図。
【図４】第１実施形態において、（ａ）は、ブラシ体の側面図、（ｂ）は、（ａ）の正面図。
【図５】第２実施形態のブラシ体の側面図。
【図６】変更例のブラシ体の側面図。
【図７】変更例のブラシ体の正面図。
【図８】変更例のブラシ体の側面図。
【図９】（ａ）、（ｂ）は、ともに変更例のブラシ体の側面図。
【図１０】実施例において、（ａ）は、実施例１のブラシ体の側面図、（ｂ）は、比較例１のブラシ体の側面図。
【図１１】実施例において、（ａ）は、固定治具の側面図、（ｂ）は、引き抜き強度試験の状態を示す側面図、（ｃ）は、引き抜き強度試験の状態を示す正面図。
【符号の説明】
【００５８】
１１…電気掃除機のヘッド、２２…回転ブラシ、３１…回転体、３２…ブラシ体、３３…溝部としての凹溝、４０…基材、４１…毛羽部、４１ａ…短毛部、４１ｂ…長毛部、５０…毛絡み抑制体及び帯状体としてのフィルム部材、６０…非毛羽部、Ｆ…床面。
【図１】
0005147187.tif 000002
【図２】
0005147187.tif 000003
【図３】
0005147187.tif 000004
【図４】
0005147187.tif 000005
【図５】
0005147187.tif 000006
【図６】
0005147187.tif 000007
【図７】
0005147187.tif 000008
【図８】
0005147187.tif 000009
【図９】
0005147187.tif 000010
【図１０】
0005147187.tif 000011
【図１１】
0005147187.tif 000012